(57)【要約】【課題】  携帯電動工具の形状を問わずに簡単かつ、確実に携帯電動工具に係止することが可能で、吊り下げ時にも作業性を損なうことがない係止具を提供することを目的とする。【解決手段】  先端側に動力軸を設けた動力部と該動力部から下方に延設される把持部とを備えた携帯電動工具に装着される係止具であって、動力部の先端が挿通される略環形状の係着部と、係着部の両端から後方に延設される複数本の側部と、動力部の後端に当接するとともに側部の少なくとも１つと締結する後端当接部と、後端当接部の後方に延設され作業ベルトに引っ掛けられる引っ掛け部と、を有する構成とする。【選択図】  図１
2018024028.tif 000002
【特許請求の範囲】
【請求項１】
先端側に動力軸を設けた動力部と該動力部から下方に延設される把持部とを備えた携帯電動工具に装着される係止具であって、
前記動力部の先端が挿通される略環形状の係着部と、
前記係着部の両端から後方に延設される複数本の側部と、
前記動力部の後端に当接するとともに前記側部の少なくとも１つと締結する後端当接部と、
前記後端当接部の後方に延設され作業ベルトに引っ掛けられる引っ掛け部と、
を有することを特徴とする係止具。
【請求項２】
前記側部は一対の略板状部材であって、一方の側部の後端は前記後端当接部の一端に固定され、他方の側部の後端は前記後端当接部の一端に連設される腕部と締結部材で締結されることを特徴とする請求項１記載の係止具。
【請求項３】
前記側部は一対の長尺のボルトであって、前記一対の側部の後端は前記後端当接部の両端に挿通されて締結部材で締結されることを特徴とする請求項１記載の係止具。
【請求項４】
前記引っ掛け部は、略Ｕ字形状に形成されていることを特徴とする請求項１記載の係止具。
【請求項５】
前記係止具は、前記動力軸の回転方向に対して３０°〜５０°回転させて装着されることを特徴とする請求項１〜４のいずれか１項に記載の係止具。
【発明の詳細な説明】
【技術分野】
【０００１】
本発明は、携帯電動工具に装着し、携帯電動工具を吊り下げる係止具に関し、特に、装着しても携帯電動工具本体の操作性や吊り下げ時の作業性を損なうことがない係止具に関する。
【背景技術】
【０００２】
従来、携帯電動工具を使用しないときには、作業者は腰に付けた作業ベルトに携帯電動工具を装着するといったことが行われている。作業ベルトには、通常、複数の装着用リングが設けられており、その装着用リングに、携帯電動工具の把手部の下方に設けられているフック部材を引っ掛けることにより、作業者の身体に携帯電動工具を装着することができるようになっている。この状態によって、作業者は両手を空けることができるため、他の作業を円滑に進めることができる。
【０００３】
ところが、上記した携帯電動工具の場合、携帯電動工具本体にフック部材が予め取り付けられていないと、装着用リングに装着できないほか、把手部の下部にフック部材が取り付けられているため、携帯電動工具の操作性を妨げたり、装着リングにフック部材を引っ掛けにくく、引っ掛ける際に携帯電動工具を落下させてしまうという問題があった。
【０００４】
そこで、特許文献１に示す携帯電動工具係止具が提案されている。この携帯電動工具係止具は、略環形の引掛け部と、その引掛け部の一部から延びるように設けられる側部と、側部を携帯電動工具の動力部に着脱自在に固定する取付け具とを備え、側部の後端部には装着用の開口部が形成してあり、動力部の先端部に引掛け部を引っ掛け、側部の携帯電動工具の側面に配置した状態で、取付け具によって側部を動力部に固定することにより、その開口部を動力部の後方に配置可能にしている。
【０００５】
このような構成により、開口部を作業ベルトに取り付けられている装着用リングに装着することができるほか、側部にフック部材を設けているため、フック部材で作業ベルト自体にも装着することができる。
【先行技術文献】
【特許文献】
【０００６】
【特許文献１】特許第４３２７１１５号公報
【発明の概要】
【発明が解決しようとする課題】
【０００７】
しかしながら、近年の携帯電動工具は小型化かつ軽量化されており、この影響から本体の動力部の長さが短くなってきており、特許文献１に示すような係止具を使用する場合に取付け具で側部を動力部の側面に固定するには不十分であって、使用中に取付け具が緩んで係止具が本体から外れてしまうおそれがある。また、係止具を十分に固定するために取付け具によって側部を締めすぎて本体を傷つけてしまったり、操作の邪魔になってしまったりといった問題がある。
【０００８】
本発明は、係る問題に鑑みてなされたものであり、携帯電動工具の形状を問わずに簡単かつ、確実に携帯電動工具に係止することが可能で、吊り下げ時にも作業性を損なうことがない係止具を提供することを目的とする。
【課題を解決するための手段】
【０００９】
上記目的を達成するために、本発明の係止具は、先端側に動力軸を設けた動力部と該動力部から下方に延設される把持部とを備えた携帯電動工具に装着される係止具であって、前記動力部の先端が挿通される略環形状の係着部と、前記係着部の両端から後方に延設される複数本の側部と、前記動力部の後端に当接するとともに前記側部の少なくとも１つと締結する後端当接部と、前記後端当接部の後方に延設され作業ベルトに引っ掛けられる引っ掛け部と、を有することを特徴とする。
【００１０】
以上の構成において、前記側部は一対の略板状部材であって、一方の側部の後端は前記後端当接部の一端に固定され、他方の側部の後端は前記後端当接部の一端に連設される腕部と締結部材で締結されることを特徴とする。
【００１１】
また、前記側部は一対の長尺のボルトであって、前記一対の側部の後端は前記後端当接部の両端に挿通されて締結部材で締結されることを特徴とする。
【００１２】
また、前記引っ掛け部は、略Ｕ字形状に形成されていることを特徴とする。
【００１３】
また、前記係止具は、前記動力軸の回転方向に対して３０°〜５０°回転させて装着されることを特徴とする。
【発明の効果】
【００１４】
本発明によれば、先端側に動力軸を設けた動力部と該動力部から下方に延設される把持部とを備えた携帯電動工具に装着される係止具であって、前記動力部の先端が挿通される略環形状の係着部と、前記係着部の両端から後方に延設される複数本の側部と、前記動力部の後端に当接するとともに前記側部の少なくとも１つと締結する後端当接部と、前記後端当接部の後方に延設され作業ベルトに引っ掛けられる引っ掛け部と、を有する構成としたので、簡易な構成で、容易に携帯電動工具に装着することができ、装着した際に携帯電動工具の操作性を損なわず、また、使用者の作業ベルトに吊り下げた際にも携帯電動工具の揺れを最小限に抑えることで作業を煩わせることがない。
【００１５】
また、大きさが異なる携帯電動工具に対しても調整して装着することができるため、様々な大きさの携帯電動工具に対応させることが可能である。
【図面の簡単な説明】
【００１６】
【図１】携帯電動工具の係止具の構成を示した斜視図である。
【図２】携帯電動工具の係止具の構成を示した上面図である。
【図３】係止具を装着した携帯電動工具の構成を示した図である。
【図４】係止具の係着部に携帯電動工具の先端を挿通させた状態を示した図であり、
【図５】係止具の側部を携帯電動工具の動力部の側面に当接させた状態を示した左側面図である。
【図６】係止具の側部を携帯電動工具の動力部の側面に当接させた状態を示した右側面図である。
【図７】係止具の後端当接部を携帯電動工具の後端に当接させた状態を示した図である。
【図８】係止具の係着部に携帯電動工具の先端を挿通させた状態を示した図である。
【図９】係止具の側部を携帯電動工具の側面上方に当接させた状態を示した図である。
【図１０】係止具の側部を携帯電動工具の側面下方に当接させた状態を示した図である。
【図１１】図１１は、係止具の後端当接部を携帯電動工具の後端に当接させた状態を示した図である。
【図１２】第２の実施形態に係る係止具の斜視図である。
【図１３】第２の実施形態に係る係止具の上面図である。
【発明を実施するための最良の形態】
【００１７】
＜第１の実施形態＞
次に、図面を参照して本発明の第１の実施形態に係る係止具の構成について説明する。
図１は、携帯電動工具の係止具の構成を示した斜視図であり、図２は、携帯電動工具の係止具の構成を示した上面図である。
図１および図２に示すように、係止具１は、後述する携帯電動工具１００の先端を係着する係着部１０と、携帯電動工具１００の側面に配置される一対の側部２０，２１と、携帯電動工具１００の後端に配置されて後端を押さえる後端当接部３０と、後端当接部３０の後方に延びるようにして設けられる引っ掛け部４０とから構成されている。
【００１８】
以上の構成において、係着部１０は、前述したように、携帯電動工具１００の先端部に引っ掛けて係着させる。そのために略環形状の貫通孔を有する枠体で構成されている。この貫通孔の直径は携帯電動工具１００の先端部の直径よりも小さい。このように、貫通孔の直径を携帯電動工具１００の先端の直径よりも小さくすることで、係着部１０を携帯電動工具１００の先端に引っ掛けることができる構成としている。
【００１９】
また、係着部１０の両端にはそれぞれ腕部１１が連設されており、この腕部１１には側部２０，２１の先端がビス等で固定され延設される。
【００２０】
一対の側部２０，２１は、略細板状の部材であって、前述したように、これらの側部２０，２１の先端は係着部１０の腕部１１，１１に固定されている。
【００２１】
ところで、側部２１の後端は、後端当接部３０の端部にビス等で固定され、側部２０の後端は、斜め外側に折れ曲がって形成され貫通孔（図示せず）が形成された締結部２０ａを有している。
【００２２】
この側部２０の締結部２０ａと、後述する後端当接部３０の端部に設けられ貫通孔（図示せず）が形成された腕部３１とを、ネジ２００とナット３００で締め付ける構成となっている。このように、側部２１を携帯電動工具１００の長さに合わして構成し、側部２０と後端当接部３０によって締結する構成とする。
【００２３】
後端当接部３０は、携帯電動工具の後端部分を押さえる略板状の部材であって、中央部分に略円形状の穴が形成されている。上記したように、一端に腕部３１が斜め方向に折れ曲がって設けられており、この腕部３１には貫通孔が設けられている。
【００２４】
また、後端当接部３０には、後方に延びるようにして略Ｕ字形状の引っ掛け部４０が設けられている。引っ掛け部４０は、使用者の作業ベルトに装着されているカラビナ等に引っ掛けるためのものである。
【００２５】
なお、近年の携帯電動工具は小型が進んでいるが、一方でバッテリーが大きく、また重くなってきている。このため、引っ掛け部４０の略Ｕ字形状が大きいと、バッテリーの重さでＵ字に沿ってバッテリー部分が大きく揺れてしまい、使用者の身体に繰り返し当たったり、作業を妨げたりするおそれがある。
【００２６】
そこで、引っ掛け部４０の略Ｕ字形状の大きさを使用者が作業ベルトに取り付けられているカラビナ等に引っ掛ける動作を阻害しない程度の最小に形成している。
【００２７】
このように形成することにより、使用者が作業中において最小の大きさである略Ｕ字形状に沿ってだけ携帯電動工具１００が揺れるため、身体に当たったり、作業を妨げたりするといった煩わしさがなくなる。
【００２８】
なお、係止具１は、全体として金属製で構成されるが、ネジ２００とナット３００以外は樹脂製であっても良い。また、係着部１０と側部２０,２１は別体として後端当接部３０側に延設する構成としても良く、あるいは、係着部１０の両端の腕部１１に側部２０,２１を溶接で固定したり、係着部１０および側部２０,２１を一体で成形したりして後端当接部３０側に延設する構成としても良い。また、ネジ２００とナット３００に加えて引っ掛け部４０を金属製としても良い。さらに、腕部３１は、後端当接部３０の両端に設けても良い。この場合、側部２０,２１の両方の後端に締結部２０ａ,２１ａを有する構成とし、締結部２０ａ,２１ａと両端に有する腕部３１とをネジ２００およびナット３００で締結する。
【００２９】
次に、図３を参照して本発明の第１の実施形態に係る係止具を装着した携帯電動工具の構成について説明する。
図３に示すように、携帯電動工具１００は、略ピストル型のコードレスインパクトドライバである。この携帯電動工具１００は、内部に駆動モータ（図示せず）が収容され、先端側に動力軸（図示せず）を設けた動力部１０１と、その動力部１０１から下方に向かって延設した把持部１０２と、その把持部１０２の下端部位置に設けられた電池部１０３とを備えている。
【００３０】
動力部１０１の先端にはビッドホルダ１０４が設けられ、そのビッドホルダ１０４にはドライバビッド等の種々の作業具を着脱自在に装着させることができる。
電池部１０３に内蔵される電池ユニット（図示せず）は、駆動モータを駆動させる電池であり、その電池ユニットは電池部１０３から着脱自在に構成される。なお、電池ユニットは、再充電可能に構成され、ニッケル水素電池などが使用される。
【００３１】
また、把持部１０２の上部先端側でピストルの引き金位置には、駆動モータの起動と停止を操作するスイッチ１０５が設けてある。
【００３２】
次に、図４〜図７を参照して、携帯電動工具に係止具を装着させる方法について説明する。図４は、係止具の係着部に携帯電動工具の先端を挿通させた状態を示した図であり、図５は、係止具の側部を携帯電動工具の動力部の側面に当接させた状態を示した左側面図であり、図６は、係止具の側部を携帯電動工具の動力部の側面に当接させた状態を示した右側面図であり、図７は、係止具の後端当接部を携帯電動工具の後端に当接させた状態を示した図である。
【００３３】
まず、図１および図２に示すところの係止具１の側部２０が有する締結部２０ａと後端当接部３０の端部とを締結しているナット３００を緩めておき、図４に示すように、携帯電動工具１００の先端のビットホルダ１０４を係着部１０の枠体に挿通させる。
【００３４】
次に、図５および図６に示すように、一対の側部２０，２１を動力部１０１の両側面に当接させ、図７に示すように、後端当接部３０を動力部１０１の後端に当接させる。そして、側部２０が有する締結部２０ａと後端当接部３０の端部に連設する腕部３１とに挿通しているネジ２００をナット３００で締める。
【００３５】
これにより、係着部１０と後端当接部３０とで動力部１０１を前後から押し付けるようにし、側部２０，２１で動力部１０１の両側面を押さえ付けるようすることで係止具１を携帯電動工具１００に装着させることができる。
【００３６】
なお、本発明の実施形態に係る係止具の装着の方法としては、上記した装着方法以外に、例えば、図８〜図１１に示すように、携帯電動工具１００に装着した係止具１を携帯電動工具１００の動力部１０１の動力軸に対して回転方向に動かして任意の位置で装着させる装着方法がある。
【００３７】
図８は、係止具の係着部に携帯電動工具の先端を挿通させた状態を示した図であり、図９は、係止具の側部を携帯電動工具の側面上方に当接させた状態を示した図であり、図１０は、係止具の側部を携帯電動工具の側面下方に当接させた状態を示した図であり、図１１は、係止具の後端当接部を携帯電動工具の後端に当接させた状態を示した図である。
【００３８】
図８に示すように、携帯電動工具１００に仮止めした係止具１を、動力軸の回転軸に対し、３０〜５０°に回転させる。この状態のとき、側部２１は、図９に示すように、動力部１０１の側面下方に位置し、側部２０は、図１０に示すように、動力部１０１の側面上方に位置する。そして、図１１に示すように、後端当接部３０で動力部１０１の後端を押さえることにより、動力部１０１に対して斜めに係止具１を装着させることができる。
【００３９】
このように、携帯電動工具１００の動力部１０１に対して斜めに装着すると、引っ掛け部４０が作業ベルトに取り付けられているカラビナ等に対して斜めに引っ掛かるので、引っ掛け部４０のＵ字のＲの大きさが実質的に小さくなったのと同じ効果がある。
【００４０】
このため、携帯電動工具１００の揺れを最小限に抑えることができる。また、このように斜めに装着すると、通常は何もなければ斜めから元に戻ろうとするが、腰ベルトにカラビナ等が装着されているので、携帯電動工具１００本体が作業者の腰ベルトや体にあたり元に戻ろうとするのを防ぐ。
【００４１】
この作用により腰ベルトに携帯電動工具１００を引っ掛けて歩いた時に携帯電動工具１００が揺れるのを抑える効果がある。
【００４２】
また、携帯電動工具１００に係止具１を装着させると、携帯電動工具１００に厚みが出てしまうため、カラビナ等に引っ掛けた際に、作業中や歩行中に使用者の手に係止具１の側部２０が当たってしまうおそれがあるが、係止具１を携帯電動工具１００に対して斜めに取り付けているため、側部２０が使用者の後方の位置することで、使用者の手に当たり難くなる。
【００４３】
＜第２の実施形態＞
次に、図１２および図１３を参照して、本発明の第２の実施形態に係る係止具について説明する。
図１２は、第２の実施形態に係る係止具の斜視図であり、図１３は、第２の実施形態に係る係止具の上面図である。
【００４４】
図１２および図１３に示すように、第２の実施形態に係る係止具２は、携帯電動工具１００の先端を係着する係着部５０と、携帯電動工具１００の側面に配置される一対の側部６０と、携帯電動工具１００の後端に配置されて後端を押さえる後端当接部７０と、後端当接部７０の後方に延びるようにして設けられる引っ掛け部８０とから構成されている。
【００４５】
以上の構成において、係着部５０は、携帯電動工具１００の先端部に引っ掛けて係着させる。そのために略環形状の貫通孔を有する枠体で構成されている。この貫通孔の直径は携帯電動工具１００の先端部の直径よりも小さくすることで、係着部５０を携帯電動工具１００の先端に引っ掛けることができる構成となっている。
【００４６】
また、係着部５０の両端にはそれぞれ腕部５１が後方に延びるようにして連設されており、この腕部５１の端部には貫通孔（図示せず）を有する。
【００４７】
一対の側部６０，６１は、ネジ部が長尺状で半ネジのボルトで構成されている。
【００４８】
後端当接部７０は、携帯電動工具の後端部分を押さえる略板状の部材であって、中央部分に略円形状の孔が形成されている。両端部は、前方に延びるようにして腕部７１が連設されている。腕部７１の端部には貫通孔（図示せず）を有する。また、後端当接部７０には後方に延びるようにして略Ｕ字状の引っ掛け部８０が設けられている。
【００４９】
以上の構成において、側部６０，６１は、係着部５０の両端に連設されている腕部５１と、後端当接部７０の両端に連設されている腕部７１，７２の貫通孔にそれぞれが挿通され、ネジ部にナット３００を締め付けることで、係止具２が組み立てられる構成となっている。なお、係止具１は、全体として金属製で構成されるが、ネジ部とナット３００以外は樹脂製であっても良い。また、係着部５０と側部６０,６１は別体として後端当接部７０側に延設する構成としても良く、あるいは、係着部５０の両端の腕部５１に側部６０,６１を溶接で固定したり、係着部５０および側部６０,６１を一体で成形したりして後端当接部７０側に延設する構成としても良い。また、ネジ部とナット３００に加えて引っ掛け部４０を金属製としても良い。
【００５０】
第２の実施形態に係る係止具を装着するには、装着する携帯電動工具１００の動力部１０１の長さに合わせて後端当接部７０を側部６０，６１の長さ方向の間で移動させて調整する。次に、動力部１０１の先端を係着部５０の枠体に挿通させ、側部６０，６１を動力部１０１の両側面に当接させるとともに、後端当接部７０を側部６０，６１の長さ方向の間で移動させ、動力部１０１の後端に当接させる。
【００５１】
そして、側部６０，６１のネジ部の端部に取り付けられているナット３００をそれぞれ締め付けることにより、後端当接部７０で動力部１０１の後端を押さえ付ける。これにより、係着部５０と後端当接部７０とで動力部１０１を前後から押さえ付けて係止具２を携帯電動工具１００に装着させることができる。
【００５２】
なお、図示しないが、第１の実施形態で示したように、係止具２も同様に携帯電動工具１００の動力軸の回転方向に対して３０°〜５０°回転させて装着させることも可能である。
【００５３】
第２の実施形態に係る係止具によれば、このように構成したので、動力部の長さが異なる携帯電動工具に対しても適用することができる。
【００５４】
なお、第１および第２の実施形態では、図面上でも側部の本数は２本として記載しているが、これに限られるものではなく、例えば、３本あるいは４本の側部を用いて締結するようにしても良い。本数が多くなればその分、締結力を向上させることができる。
【００５５】
また、第１および第２の実施形態では、係止具２が携帯電動工具１００の動力軸の回転方向に対して３０°〜５０°回転させる構成となっているが、後端当接部３０，７０に延設された略Ｕ字状の引っ掛け部４０，８０を垂直方向に対して３０°〜５０°の傾斜をもたせるようにして設けても良い。
【符号の説明】
【００５６】
１、２    係止具
１０、５０    係着部
１１、５１、７１    腕部
２０、２１、６０、６１    側部
３０、７０    後端当接部
４０、８０    引っ掛け部
１００    携帯電動工具
１０１    動力部
１０２    把持部
１０３    電池部
１０４    ビットホルダ
１０５    スイッチ
２００    ネジ
３００    ナット
【図１】
2018024028.tif 000003
【図２】
2018024028.tif 000004
【図３】
2018024028.tif 000005
【図４】
2018024028.tif 000006
【図５】
2018024028.tif 000007
【図６】
2018024028.tif 000008
【図７】
2018024028.tif 000009
【図８】
2018024028.tif 000010
【図９】
2018024028.tif 000011
【図１０】
2018024028.tif 000012
【図１１】
2018024028.tif 000013
【図１２】
2018024028.tif 000014
【図１３】
2018024028.tif 000015
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
先端側に動力軸を設けた動力部と該動力部から下方に延設される把持部とを備えた携帯電動工具に装着される係止具であって、
前記動力部の先端が挿通される平板で略環形状の貫通孔を有する係着部と、
前記係着部の両端から後方に延設される一対の略板状部材からなる側部と、
前記動力部の後端に配置され略円形状の平板から構成される後端当接部と、
前記後端当接部の後方に延設され作業ベルトに引っ掛けられる略Ｕ字形状の引っ掛け部と、を有し、
前記側部の一方の後端は前記後端当接部の一端に固定され、他方の後端は前記後端当接部の一端に連設される腕部と締結部材で締結されることにより、前記動力部を前記係着部と前記一対の側部と前記後端当接部の４面で押さえ付けて保持するようにしたことを特徴とする係止具。
【請求項２】
前記側部は一対の長尺のボルトであって、前記一対の側部の後端は前記後端当接部の両端に挿通されて締結部材で締結されることを特徴とする請求項１記載の係止具。
【請求項３】
前記係止具は、前記動力軸の回転軸に対して３０°〜５０°回転させて装着されることを特徴とする請求項１に記載の係止具。
【手続補正２】
【補正対象書類名】明細書
【補正対象項目名】０００９
【補正方法】変更
【補正の内容】
【０００９】
上記目的を達成するために、本発明の係止具は、先端側に動力軸を設けた動力部と該動力部から下方に延設される把持部とを備えた携帯電動工具に装着される係止具であって、前記動力部の先端が挿通される平板で略環形状の貫通孔を有する係着部と、前記係着部の両端から後方に延設される一対の略板状部材からなる側部と、前記動力部の後端に配置され略円形状の平板から構成される後端当接部と、前記後端当接部の後方に延設され作業ベルトに引っ掛けられる略Ｕ字形状の引っ掛け部と、を有し、前記側部の一方の後端は前記後端当接部の一端に固定され、他方の後端は前記後端当接部の一端に連設される腕部と締結部材で締結されることにより、前記動力部を前記係着部と前記一対の側部と前記後端当接部の４面で押さえ付けて保持するようにしたことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また、前記係止具は、前記動力軸の回転軸に対して３０°〜５０°回転させて装着されることを特徴とする。
【手続補正書】
【提出日】平成29年10月16日(2017.10.16)
【手続補正１】
【補正対象書類名】特許請求の範囲
【補正対象項目名】請求項３
【補正方法】変更
【補正の内容】
【請求項３】
前記係止具は、前記動力軸の回転軸に対して前記一対の側部を結ぶ線が水平になる位置から３０°〜５０°回転させて装着されることを特徴とする請求項１に記載の係止具。
【手続補正２】
【補正対象書類名】明細書
【補正対象項目名】００１３
【補正方法】変更
【補正の内容】
【００１３】
また、前記係止具は、前記動力軸の回転軸に対して前記一対の側部を結ぶ線が水平になる位置から３０°〜５０°回転させて装着されることを特徴とする。